【手続補正書】
【提出日】平成19年7月27日(2007.7.27)
【手続補正１】
【補正対象書類名】特許請求の範囲
【補正対象項目名】全文
【補正方法】変更
【補正の内容】
【特許請求の範囲】
【請求項１】
画像情報を照明光に与えて光画像信号として送信する送信手段と、上記光画像信号を投影する投影光学手段と、この投影光学手段を介して上記光画像信号を受光して上記画像情報に基づく画像を表示する表示手段とを備えた画像表示装置であって、
上記表示手段と上記投影光学手段は互いの光軸を共有し、該光軸は上記表示手段から外れた位置に配置されていることを特徴とする画像表示装置。
【請求項２】
上記送信手段は、光を発する発光体と、入射する照明光を上記画像情報に応じて変調して出射する空間光変調素子と、上記発光体が発する光を上記空間光変調素子に導き照明光として入射させる集光手段とから構成され、
上記投影光学手段は、上記光画像信号を反射する反射部と、上記反射部が有する収差を補正するとともに上記光画像信号を上記反射部へ投影する屈折光学部とから構成されたことを特徴とする請求項１記載の画像表示装置。
【請求項３】
上記送信手段の少なくとも一部を、上記表示手段の受光面側かつ上記光軸の一側の空間であって、かつ上記反射部で反射された光画像信号を遮らない空間に配置したことを特徴とする請求項２記載の画像表示装置。
【請求項４】
上記投影光学手段からの光画像信号を上記表示手段へ反射する平面鏡を備え、
上記表示手段の受光面と上記平面鏡の反射面とが平行の関係にあるとともに、上記平面鏡の反射面および上記表示手段の受光面と直交する底面を有し、
上記表示手段に表示される４角形の画像の底辺上に存在し、該画像の中心から最も離れた第１の点と、上記第１の点へ向う光線が反射される上記平面鏡上の第２の点と、上記第２の点へ向う光線が反射される上記反射部上の第３の点と、上記第１の点、上記第２の点、及び上記第３の点を上記底面の法線方向から該底面上に投影した点である第４の点、第５の点、及び第６の点とを頂点とする５面体形状の配置空間に、発光体及び集光手段の一部からなる集光光学系主要部を配置することを特徴とする請求項２または請求項３記載の画像表示装置。
【請求項５】
上記投影光学手段は、上記屈折光学部から上記反射部へ光画像信号を反射する第１の光路折曲手段を備えたことを特徴とする請求項２から請求項４のうちのいずれか１項記載の画像表示装置。
【請求項６】
上記第１の光路折曲手段は、上記反射部の光軸を含む水平面内で、上記屈折光学部の光軸方向を折り曲げることを特徴とする請求項５記載の画像表示装置。
【請求項７】
上記第１の光路折曲手段は反射鏡またはプリズム素子であることを特徴とする請求項５記載の画像表示装置。
【請求項８】
上記屈折光学部は、第１のレンズ手段から第２のレンズ手段へ光画像信号を反射する第２の光路折曲手段を備えたことを特徴とする請求項２から請求項５のうちのいずれか１項記載の画像表示装置。
【請求項９】
上記第２の光路折曲手段は反射鏡またはプリズム素子であることを特徴とする請求項８記載の画像表示装置。
【請求項１０】
上記反射部は、上記表示手段へ光画像信号を反射しない非反射部分を切り取った形状であることを特徴とする請求項２から請求項９のうちのいずれか１項記載の画像表示装置。
【請求項１１】
上記集光光学系主要部の光軸は、上記表示手段の受光面および上記底面に平行に配置したことを特徴とする請求項４記載の画像表示装置。
【請求項１２】
上記集光光学系主要部の光軸は、上記表示手段の受光面に平行に設置するとともに、上記底面に対して所定の角度で傾斜していることを特徴とする請求項４記載の画像表示装置。
【請求項１３】
上記集光光学系主要部から出射して上記空間光変調素子に入射する光束と、該空間変調素子から出射して上記屈折光学部に入射する光束とを媒介する第２のプリズム素子を備えたことを特徴とする請求項４、請求項１１及び請求項１２のうちのいずれか１項記載の画像表示装置。
【手続補正２】
【補正対象書類名】明細書
【補正対象項目名】発明の名称
【補正方法】変更
【補正の内容】
【発明の名称】画像表示装置
【手続補正３】
【補正対象書類名】明細書
【補正対象項目名】００１３
【補正方法】変更
【補正の内容】
【００１３】
この発明に係る画像表示装置は、画像情報を照明光に与えて光画像信号として送信する送信手段と、上記光画像信号を投影する投影光学手段と、この投影光学手段を介して上記光画像信号を受光して上記画像情報に基づく画像を表示する表示手段とを備えた画像表示装置であって、上記表示手段と上記投影光学手段は互いの光軸を共有し、該光軸は上記表示手段から外れた位置に配置されるようにしたものである。
【手続補正４】
【補正対象書類名】明細書
【補正対象項目名】００１４
【補正方法】変更
【補正の内容】
【００１４】
この発明に係る画像表示装置は、上記送信手段が、光を発する発光体と、入射する照明光を上記画像情報に応じて変調して出射する空間光変調素子と、上記発光体が発する光を上記空間光変調素子に導き照明光として入射させる集光手段とから構成され、上記投影光学手段が、上記光画像信号を反射する反射部と、上記反射部が有する収差を補正するとともに上記光画像信号を上記反射部へ投影する屈折光学部とから構成されるようにしたものである。
【手続補正５】
【補正対象書類名】明細書
【補正対象項目名】００１５
【補正方法】変更
【補正の内容】
【００１５】
この発明に係る画像表示装置は、上記送信手段の少なくとも一部を、上記表示手段の受光面側かつ上記光軸の一側の空間であって、かつ上記反射部で反射された光画像信号を遮らない空間に配置されるようにしたものである。
【手続補正６】
【補正対象書類名】明細書
【補正対象項目名】００１６
【補正方法】変更
【補正の内容】
【００１６】
この発明に係る画像表示装置は、上記投影光学手段からの光画像信号を上記表示手段へ反射する平面鏡を備え、上記表示手段の受光面と上記平面鏡の反射面とが平行の関係にあるとともに、上記平面鏡の反射面および上記表示手段の受光面と直交する底面を有し、上記表示手段に表示される４角形の画像の底辺上に存在し、該画像の中心から最も離れた第１の点と、上記第１の点へ向う光線が反射される上記平面鏡上の第２の点と、上記第２の点へ向う光線が反射される上記反射部上の第３の点と、上記第１の点、上記第２の点、及び上記第３の点を上記底面の法線方向から該底面上に投影した点である第４の点、第５の点、及び第６の点とを頂点とする５面体形状の配置空間に、発光体及び集光手段の一部からなる集光光学系主要部を配置されるようにしたものである。
【手続補正７】
【補正対象書類名】明細書
【補正対象項目名】００１７
【補正方法】変更
【補正の内容】
【００１７】
この発明に係る画像表示装置は、上記投影光学手段が、上記屈折光学部から上記反射部へ光画像信号を反射する第１の光路折曲手段を備えるようにしたものである。
【手続補正８】
【補正対象書類名】明細書
【補正対象項目名】００１８
【補正方法】変更
【補正の内容】
【００１８】
この発明に係る画像表示装置は、上記第１の光路折曲手段が、上記反射部の光軸を含む水平面内で、上記屈折光学部の光軸方向を折り曲げるようにしたものである。
【手続補正９】
【補正対象書類名】明細書
【補正対象項目名】００１９
【補正方法】変更
【補正の内容】
【００１９】
この発明に係る画像表示装置は、反射鏡またはプリズム素子を上記第１の光路折曲手段とするようにしたものである。
【手続補正１０】
【補正対象書類名】明細書
【補正対象項目名】００２０
【補正方法】変更
【補正の内容】
【００２０】
この発明に係る画像表示装置は、上記屈折光学部が、第１のレンズ手段から第２のレンズ手段へ光画像信号を反射する第２の光路折曲手段を備えるようにしたものである。
【手続補正１１】
【補正対象書類名】明細書
【補正対象項目名】００２１
【補正方法】変更
【補正の内容】
【００２１】
この発明に係る画像表示装置は、反射鏡またはプリズム素子を上記第２の光路折曲手段とするようにしたものである。
【手続補正１２】
【補正対象書類名】明細書
【補正対象項目名】００２２
【補正方法】変更
【補正の内容】
【００２２】
この発明に係る画像表示装置は、上記反射部を、上記表示手段へ光画像信号を反射しない非反射部分を切り取った形状とするようにしたものである。
【手続補正１３】
【補正対象書類名】明細書
【補正対象項目名】００２３
【補正方法】変更
【補正の内容】
【００２３】
この発明に係る画像表示装置は、上記集光光学系主要部の光軸を、上記表示手段の受光面および上記底面に平行に配置されるようにしたものである。
【手続補正１４】
【補正対象書類名】明細書
【補正対象項目名】００２４
【補正方法】変更
【補正の内容】
【００２４】
この発明に係る画像表示装置は、上記集光光学系主要部の光軸を、上記表示手段の受光面に平行に設置するとともに、上記底面に対して所定の角度で傾斜させるようにしたものである。
【手続補正１５】
【補正対象書類名】明細書
【補正対象項目名】００２５
【補正方法】変更
【補正の内容】
【００２５】
この発明に係る画像表示装置は、上記集光光学系主要部から出射して上記空間光変調素子に入射する光束と、該空間変調素子から出射して上記屈折光学部に入射する光束とを媒介する第２のプリズム素子を備えるようにしたものである。
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】
【手続補正２２】
【補正対象書類名】明細書
【補正対象項目名】００３２
【補正方法】削除
【補正の内容】
【手続補正２３】
【補正対象書類名】明細書
【補正対象項目名】００３３
【補正方法】削除
【補正の内容】
【手続補正２４】
【補正対象書類名】明細書
【補正対象項目名】００３４
【補正方法】削除
【補正の内容】
【手続補正２５】
【補正対象書類名】明細書
【補正対象項目名】００３５
【補正方法】削除
【補正の内容】
【手続補正２６】
【補正対象書類名】明細書
【補正対象項目名】００３６
【補正方法】削除
【補正の内容】
【手続補正２７】
【補正対象書類名】明細書
【補正対象項目名】００３７
【補正方法】削除
【補正の内容】
【手続補正２８】
【補正対象書類名】明細書
【補正対象項目名】００３８
【補正方法】削除
【補正の内容】
【手続補正２９】
【補正対象書類名】明細書
【補正対象項目名】００３９
【補正方法】削除
【補正の内容】
【手続補正３０】
【補正対象書類名】明細書
【補正対象項目名】００４０
【補正方法】削除
【補正の内容】
【手続補正３１】
【補正対象書類名】明細書
【補正対象項目名】００４１
【補正方法】削除
【補正の内容】
【手続補正３２】
【補正対象書類名】明細書
【補正対象項目名】００４２
【補正方法】削除
【補正の内容】
【手続補正３３】
【補正対象書類名】明細書
【補正対象項目名】００４３
【補正方法】削除
【補正の内容】
【手続補正３４】
【補正対象書類名】明細書
【補正対象項目名】００４４
【補正方法】削除
【補正の内容】
【手続補正３５】
【補正対象書類名】明細書
【補正対象項目名】００４５
【補正方法】削除
【補正の内容】
【手続補正３６】
【補正対象書類名】明細書
【補正対象項目名】００４６
【補正方法】削除
【補正の内容】
【手続補正３７】
【補正対象書類名】明細書
【補正対象項目名】００４７
【補正方法】削除
【補正の内容】
【手続補正３８】
【補正対象書類名】明細書
【補正対象項目名】００４８
【補正方法】削除
【補正の内容】
【手続補正３９】
【補正対象書類名】明細書
【補正対象項目名】００４９
【補正方法】削除
【補正の内容】
【手続補正４０】
【補正対象書類名】明細書
【補正対象項目名】００５０
【補正方法】削除
【補正の内容】
【手続補正４１】
【補正対象書類名】明細書
【補正対象項目名】００５１
【補正方法】削除
【補正の内容】
【手続補正４２】
【補正対象書類名】明細書
【補正対象項目名】００５２
【補正方法】削除
【補正の内容】
【手続補正４３】
【補正対象書類名】明細書
【補正対象項目名】００５３
【補正方法】削除
【補正の内容】
【手続補正４４】
【補正対象書類名】明細書
【補正対象項目名】００５４
【補正方法】削除
【補正の内容】
【手続補正４５】
【補正対象書類名】明細書
【補正対象項目名】００５５
【補正方法】削除
【補正の内容】
【手続補正４６】
【補正対象書類名】明細書
【補正対象項目名】００５６
【補正方法】削除
【補正の内容】
【手続補正４７】
【補正対象書類名】明細書
【補正対象項目名】００５７
【補正方法】削除
【補正の内容】
【手続補正４８】
【補正対象書類名】明細書
【補正対象項目名】００５８
【補正方法】削除
【補正の内容】
【手続補正４９】
【補正対象書類名】明細書
【補正対象項目名】００５９
【補正方法】削除
【補正の内容】
【手続補正５０】
【補正対象書類名】明細書
【補正対象項目名】００６０
【補正方法】削除
【補正の内容】
【手続補正５１】
【補正対象書類名】明細書
【補正対象項目名】００６１
【補正方法】削除
【補正の内容】
【手続補正５２】
【補正対象書類名】明細書
【補正対象項目名】００６２
【補正方法】削除
【補正の内容】
【手続補正５３】
【補正対象書類名】明細書
【補正対象項目名】００６３
【補正方法】削除
【補正の内容】
【手続補正５４】
【補正対象書類名】明細書
【補正対象項目名】００６４
【補正方法】削除
【補正の内容】
【手続補正５５】
【補正対象書類名】明細書
【補正対象項目名】００６５
【補正方法】削除
【補正の内容】
【手続補正５６】
【補正対象書類名】明細書
【補正対象項目名】００６６
【補正方法】削除
【補正の内容】
【手続補正５７】
【補正対象書類名】明細書
【補正対象項目名】００６７
【補正方法】削除
【補正の内容】
【手続補正５８】
【補正対象書類名】明細書
【補正対象項目名】００６８
【補正方法】削除
【補正の内容】
【手続補正５９】
【補正対象書類名】明細書
【補正対象項目名】００６９
【補正方法】削除
【補正の内容】
【手続補正６０】
【補正対象書類名】明細書
【補正対象項目名】００７０
【補正方法】削除
【補正の内容】
【手続補正６１】
【補正対象書類名】明細書
【補正対象項目名】００７１
【補正方法】削除
【補正の内容】
【手続補正６２】
【補正対象書類名】明細書
【補正対象項目名】００７２
【補正方法】削除
【補正の内容】
【手続補正６３】
【補正対象書類名】明細書
【補正対象項目名】００７３
【補正方法】削除
【補正の内容】
【手続補正６４】
【補正対象書類名】明細書
【補正対象項目名】００７４
【補正方法】削除
【補正の内容】
【手続補正６５】
【補正対象書類名】明細書
【補正対象項目名】００７５
【補正方法】削除
【補正の内容】
【手続補正６６】
【補正対象書類名】明細書
【補正対象項目名】００７６
【補正方法】削除
【補正の内容】
【手続補正６７】
【補正対象書類名】明細書
【補正対象項目名】００７７
【補正方法】削除
【補正の内容】
【手続補正６８】
【補正対象書類名】明細書
【補正対象項目名】００７８
【補正方法】削除
【補正の内容】
【手続補正６９】
【補正対象書類名】明細書
【補正対象項目名】００７９
【補正方法】変更
【補正の内容】
【００７９】
この発明によれば、画像情報を照明光に与えて光画像信号として送信する送信手段と、上記光画像信号を投影する投影光学手段と、この投影光学手段を介して上記光画像信号を受光して上記画像情報に基づく画像を表示する表示手段とを備えた画像表示装置であって、上記表示手段と上記投影光学手段は互いの光軸を共有し、該光軸は上記表示手段から外れた位置に配置されるようにしたので、薄型化した画像表示装置を構成することができるという効果が得られる。
【手続補正７０】
【補正対象書類名】明細書
【補正対象項目名】００８０
【補正方法】変更
【補正の内容】
【００８０】
この発明によれば、上記送信手段が、光を発する発光体と、入射する照明光を上記画像情報に応じて変調して出射する空間光変調素子と、上記発光体が発する光を上記空間光変調素子に導き照明光として入射させる集光手段とから構成され、上記投影光学手段が、上記光画像信号を反射する反射部と、上記反射部が有する収差を補正するとともに上記光画像信号を上記反射部へ投影する屈折光学部とから構成されるようにしたので、表示手段へ光路を折り曲げるための光学部品を別に設ける必要がなくなり、光学部品点数を減少させて表示手段と反射部との間の距離を短くすることができ、また、薄型化した画像表示装置を構成することができるという効果が得られる。
【手続補正７１】
【補正対象書類名】明細書
【補正対象項目名】００８１
【補正方法】変更
【補正の内容】
【００８１】
この発明によれば、上記送信手段の少なくとも一部を、上記表示手段の受光面側かつ上記光軸の一側の空間であって、かつ上記反射部で反射された光画像信号を遮らない空間に配置されるようにしたので、薄型化した画像表示装置を構成することができるという効果が得られる。
【手続補正７２】
【補正対象書類名】明細書
【補正対象項目名】００８２
【補正方法】変更
【補正の内容】
【００８２】
この発明によれば、上記投影光学手段からの光画像信号を上記表示手段へ反射する平面鏡を備え、上記表示手段の受光面と上記平面鏡の反射面とが平行の関係にあるとともに、上記平面鏡の反射面および上記表示手段の受光面と直交する底面を有し、上記表示手段に表示される４角形の画像の底辺上に存在し、該画像の中心から最も離れた第１の点と、上記第１の点へ向う光線が反射される上記平面鏡上の第２の点と、上記第２の点へ向う光線が反射される上記反射部上の第３の点と、上記第１の点、上記第２の点、及び上記第３の点を上記底面の法線方向から該底面上に投影した点である第４の点、第５の点、及び第６の点とを頂点とする５面体形状の配置空間に、発光体及び集光手段の一部からなる集光光学系主要部を配置されるようにしたので、平面鏡と表示手段とによって定められた画像表示装置の薄さの範囲で、スクリーン下部の高さを抑制することができるという効果が得られる。
【手続補正７３】
【補正対象書類名】明細書
【補正対象項目名】００８３
【補正方法】変更
【補正の内容】
【００８３】
この発明によれば、上記投影光学手段が、上記屈折光学部から上記反射部へ光画像信号を反射する第１の光路折曲手段を備えるようにしたので、画像表示装置をさらに薄型化し、スクリーン下部高さを低く抑えた画像表示装置を構成することができるという効果が得られる。
【手続補正７４】
【補正対象書類名】明細書
【補正対象項目名】００８４
【補正方法】変更
【補正の内容】
【００８４】
この発明によれば、上記第１の光路折曲手段が、上記反射部の光軸を含む水平面内で、上記屈折光学部の光軸方向を折り曲げるようにしたので、さらに薄型化し、かつスクリーン下部高さを低く抑えた画像表示装置を構成することができるという効果が得られる。
【手続補正７５】
【補正対象書類名】明細書
【補正対象項目名】００８５
【補正方法】変更
【補正の内容】
【００８５】
この発明によれば、反射鏡またはプリズム素子を上記第１の光路折曲手段とするようにしたので、曲面形状の反射面または屈折面を工夫することによって、光線の制御に自由度を与えることができるようになり、種々の光学性能の改善を図ることができるという効果が得られる。
【手続補正７６】
【補正対象書類名】明細書
【補正対象項目名】００８６
【補正方法】変更
【補正の内容】
【００８６】
この発明によれば、上記屈折光学部が、第１のレンズ手段から第２のレンズ手段へ光画像信号を反射する第２の光路折曲手段を備えるようにしたので、画像表示装置をさらに薄型化し、スクリーン下部高さを低く抑えた画像表示装置を構成することができるという効果が得られる。
【手続補正７７】
【補正対象書類名】明細書
【補正対象項目名】００８７
【補正方法】変更
【補正の内容】
【００８７】
この発明によれば、反射鏡またはプリズム素子を上記第２の光路折曲手段とするようにしたので、曲面形状の反射面または屈折面を工夫することによって、光線の制御に自由度を与えることができるようになり、種々の光学性能の改善を図ることができるという効果が得られる。
【手続補正７８】
【補正対象書類名】明細書
【補正対象項目名】００８８
【補正方法】変更
【補正の内容】
【００８８】
この発明によれば、上記反射部を、上記表示手段へ光画像信号を反射しない非反射部分を切り取った形状とするようにしたので、非反射部を切り取った分だけ反射部を小さく構成することができ、画像表示装置のコストを削減することができ、また画像表示装置内部の構成スペースを有効に利用することができるという効果が得られる。
【手続補正７９】
【補正対象書類名】明細書
【補正対象項目名】００８９
【補正方法】変更
【補正の内容】
【００８９】
この発明によれば、上記集光光学系主要部の光軸を、上記表示手段の受光面および上記底面に平行に配置されるようにしたので、照明光源部の寿命を短くすることなく、スクリーン下部の高さを抑制して種々の利用形態に対応できる画像表示装置を構成することができるという効果が得られる。
【手続補正８０】
【補正対象書類名】明細書
【補正対象項目名】００９０
【補正方法】変更
【補正の内容】
【００９０】
この発明によれば、上記集光光学系主要部の光軸を、上記表示手段の受光面に平行に設置するとともに、上記底面に対して所定の角度で傾斜させるようにしたので、照明光源部の寿命を短くすることなく、スクリーン下部の高さを抑制して種々の利用形態に対応できる画像表示装置を構成することができるという効果が得られる。
【手続補正８１】
【補正対象書類名】明細書
【補正対象項目名】００９１
【補正方法】変更
【補正の内容】
【００９１】
この発明によれば、上記集光光学系主要部から出射して上記空間光変調素子に入射する光束と、該空間変調素子から出射して上記屈折光学部に入射する光束とを媒介する第２のプリズム素子を備えるようにしたので、反射型の光空間変調素子に対して配置空間に配置した集光光学系主要部によって光を集光することができ、かつ、空間光変調素子で反射された光束を上記空間光変調素子への入射光束と分離する構成の自由度を高めることができるという効果が得られる。
【手続補正８２】
【補正対象書類名】明細書
【補正対象項目名】００９２
【補正方法】削除
【補正の内容】
【手続補正８３】
【補正対象書類名】明細書
【補正対象項目名】００９３
【補正方法】削除
【補正の内容】
【手続補正８４】
【補正対象書類名】明細書
【補正対象項目名】００９４
【補正方法】削除
【補正の内容】
【手続補正８５】
【補正対象書類名】明細書
【補正対象項目名】００９５
【補正方法】削除
【補正の内容】
【手続補正８６】
【補正対象書類名】明細書
【補正対象項目名】００９６
【補正方法】削除
【補正の内容】
【手続補正８７】
【補正対象書類名】明細書
【補正対象項目名】００９７
【補正方法】削除
【補正の内容】
【手続補正８８】
【補正対象書類名】明細書
【補正対象項目名】００９８
【補正方法】削除
【補正の内容】
【手続補正８９】
【補正対象書類名】明細書
【補正対象項目名】００９９
【補正方法】削除
【補正の内容】
【手続補正９０】
【補正対象書類名】明細書
【補正対象項目名】０１００
【補正方法】削除
【補正の内容】
【手続補正９１】
【補正対象書類名】明細書
【補正対象項目名】０１０１
【補正方法】削除
【補正の内容】
【手続補正９２】
【補正対象書類名】明細書
【補正対象項目名】０１０２
【補正方法】削除
【補正の内容】
【手続補正９３】
【補正対象書類名】明細書
【補正対象項目名】０１０３
【補正方法】削除
【補正の内容】
【手続補正９４】
【補正対象書類名】明細書
【補正対象項目名】０１０４
【補正方法】削除
【補正の内容】
【手続補正９５】
【補正対象書類名】明細書
【補正対象項目名】０１０５
【補正方法】削除
【補正の内容】
【手続補正９６】
【補正対象書類名】明細書
【補正対象項目名】０１０６
【補正方法】削除
【補正の内容】
【手続補正９７】
【補正対象書類名】明細書
【補正対象項目名】０１０７
【補正方法】削除
【補正の内容】
【手続補正９８】
【補正対象書類名】明細書
【補正対象項目名】０１０８
【補正方法】削除
【補正の内容】
【手続補正９９】
【補正対象書類名】明細書
【補正対象項目名】０１０９
【補正方法】削除
【補正の内容】
【手続補正１００】
【補正対象書類名】明細書
【補正対象項目名】０１１０
【補正方法】削除
【補正の内容】
【手続補正１０１】
【補正対象書類名】明細書
【補正対象項目名】０１１１
【補正方法】削除
【補正の内容】
【手続補正１０２】
【補正対象書類名】明細書
【補正対象項目名】０１１２
【補正方法】削除
【補正の内容】
【手続補正１０３】
【補正対象書類名】明細書
【補正対象項目名】０１１３
【補正方法】削除
【補正の内容】
【手続補正１０４】
【補正対象書類名】明細書
【補正対象項目名】０１１４
【補正方法】削除
【補正の内容】
【手続補正１０５】
【補正対象書類名】明細書
【補正対象項目名】０１１５
【補正方法】削除
【補正の内容】
【手続補正１０６】
【補正対象書類名】明細書
【補正対象項目名】０１１６
【補正方法】削除
【補正の内容】
【手続補正１０７】
【補正対象書類名】明細書
【補正対象項目名】０１１７
【補正方法】削除
【補正の内容】
【手続補正１０８】
【補正対象書類名】明細書
【補正対象項目名】０１１８
【補正方法】削除
【補正の内容】
【手続補正１０９】
【補正対象書類名】明細書
【補正対象項目名】０１１９
【補正方法】削除
【補正の内容】
【手続補正１１０】
【補正対象書類名】明細書
【補正対象項目名】０１２０
【補正方法】削除
【補正の内容】
【手続補正１１１】
【補正対象書類名】明細書
【補正対象項目名】０１２１
【補正方法】削除
【補正の内容】
【手続補正１１２】
【補正対象書類名】明細書
【補正対象項目名】０１２２
【補正方法】削除
【補正の内容】
【手続補正１１３】
【補正対象書類名】明細書
【補正対象項目名】０１２３
【補正方法】削除
【補正の内容】
【手続補正１１４】
【補正対象書類名】明細書
【補正対象項目名】０１２４
【補正方法】削除
【補正の内容】
【手続補正１１５】
【補正対象書類名】明細書
【補正対象項目名】０１２５
【補正方法】削除
【補正の内容】
【手続補正１１６】
【補正対象書類名】明細書
【補正対象項目名】０１２６
【補正方法】削除
【補正の内容】
【手続補正１１７】
【補正対象書類名】明細書
【補正対象項目名】０１２７
【補正方法】削除
【補正の内容】
【手続補正１１８】
【補正対象書類名】明細書
【補正対象項目名】０１２８
【補正方法】削除
【補正の内容】
【手続補正１１９】
【補正対象書類名】明細書
【補正対象項目名】０１２９
【補正方法】削除
【補正の内容】
【手続補正１２０】
【補正対象書類名】明細書
【補正対象項目名】０１３０
【補正方法】削除
【補正の内容】
【手続補正１２１】
【補正対象書類名】明細書
【補正対象項目名】０１３１
【補正方法】削除
【補正の内容】
【手続補正１２２】
【補正対象書類名】明細書
【補正対象項目名】０１３２
【補正方法】削除
【補正の内容】
【手続補正１２３】
【補正対象書類名】明細書
【補正対象項目名】０１３３
【補正方法】削除
【補正の内容】
【手続補正１２４】
【補正対象書類名】明細書
【補正対象項目名】０１３４
【補正方法】削除
【補正の内容】
【手続補正１２５】
【補正対象書類名】明細書
【補正対象項目名】０１３５
【補正方法】削除
【補正の内容】
【手続補正１２６】
【補正対象書類名】明細書
【補正対象項目名】０１３６
【補正方法】削除
【補正の内容】
【手続補正１２７】
【補正対象書類名】明細書
【補正対象項目名】０１３７
【補正方法】削除
【補正の内容】
【手続補正１２８】
【補正対象書類名】明細書
【補正対象項目名】０１３８
【補正方法】削除
【補正の内容】
【手続補正１２９】
【補正対象書類名】明細書
【補正対象項目名】０１３９
【補正方法】削除
【補正の内容】
【手続補正１３０】
【補正対象書類名】明細書
【補正対象項目名】０１４０
【補正方法】削除
【補正の内容】
【手続補正１３１】
【補正対象書類名】明細書
【補正対象項目名】０１４１
【補正方法】削除
【補正の内容】
【手続補正１３２】
【補正対象書類名】明細書
【補正対象項目名】０１４２
【補正方法】削除
【補正の内容】
【手続補正１３３】
【補正対象書類名】明細書
【補正対象項目名】０１４３
【補正方法】削除
【補正の内容】
【手続補正１３４】
【補正対象書類名】明細書
【補正対象項目名】０１４４
【補正方法】削除
【補正の内容】